(57)【要約】【課題】  ゴルフクラブヘッド用おもり部材を提供する。【解決手段】  ゴルフクラブヘッドのおもりポートに取り外し可能に取り付くおもり部材が提供される。おもり部材は、締結工具の一部を動作可能に受け入れる工具嵌合ポートを有するヘッドを含む。おもり部材は、端面で終端するようにヘッドに結合されたシャフトをさらに含む。シャフトは、ねじの切られた外側面と、端面から延びる、ねじの切られていない内部穴とを有する。【選択図】      図３ａ
2013043091.tif 000002
【特許請求の範囲】
【請求項１】
ゴルフクラブヘッドのおもりポートに取り外し可能に取り付くおもり部材であって、
締結工具の一部を動作可能に受け入れる工具嵌合ポートを有するヘッドと、
前記ヘッドに結合され、端面で終端し、ねじの切られた外側面と、前記端面から延びるねじの切られていない内部穴とを有するシャフトと、
を含むおもり部材。
【請求項２】
前記ヘッドは第１の直径をさらに含み、前記シャフトは第２の直径をさらに含み、前記第１の直径は前記第２の直径以上である、請求項１に記載のおもり部材。
【請求項３】
前記ねじの切られた外側面は３つ以上のねじ山を含む、請求項１に記載のおもり部材。
【請求項４】
ステンレス鋼、チタン、ニッケル、タングステン、およびポリマーからなる群から選択される材料を含む、請求項１に記載のおもり部材。
【請求項５】
１０ｍｍ以上の全長をさらに含む、請求項１に記載のおもり部材。
【請求項６】
前記全長は１５ｍｍ以上である、請求項５に記載のおもり部材。
【請求項７】
８ｇ以下の質量をさらに含む、請求項１に記載のおもり部材。
【請求項８】
前記シャフトはシャフト長さをさらに含み、前記内部穴は内部穴深さを含み、前記内部穴深さの前記シャフト長さに対する比率は０．１５以上である、請求項１に記載のおもり部材。
【請求項９】
請求項１に記載のおもり部材と、
前記おもり部材を取り外し可能に固定するのに適した、ねじの切られた凹部を有するおもりポートを含むゴルフクラブヘッドと、
を含むキット。
【請求項１０】
ゴルフクラブヘッドのおもりポートに取り外し可能に、かつ交換可能に取り付くおもりのキットであって、
第１のヘッド径および第１のヘッド端面を有する第１のヘッドと、
前記第１のヘッド端面と反対側の第１のシャフト端面、第１のシャフト径、および第１のシャフト長さを有する第１のシャフトと、
前記第１のヘッド端面および前記第１のシャフト端面の一方から延び、第１の内部穴深さを有する第１の内部穴と、
を含む第１のおもりと、
第２のヘッド径および第２のヘッド端面を有する第２のヘッドと、
前記第２のヘッド端面と反対側の第２のシャフト端面と、前記第１のシャフト径に実質的に等しい第２のシャフト径と、第２のシャフト長さとを有する第２のシャフトと、
前記第２のヘッド端面および前記第２のシャフト端面の一方から延び、前記第１の内部穴深さとは異なる第２の内部穴深さを有する第２の内部穴と、
を含む第２のおもりと、
を含むキット。
【請求項１１】
前記第１のヘッド径が、前記第１のシャフト径以上である、および
前記第２のヘッド径が、前記第２のシャフト径以上である、
のうちの少なくとも一方の態様を含む、請求項１０に記載のキット。
【請求項１２】
前記第１のシャフトが、第１のねじの切られた外側面をさらに含む、および
前記第２のシャフトが、第２のねじの切られた外側面をさらに含む、
のうちの少なくとも一方の態様を含む、請求項１０に記載のキット。
【請求項１３】
前記第１のおもりおよび前記第２のおもりのそれぞれは、ステンレス鋼、チタン、ニッケル、タングステン、およびポリマーからなる群から選択される材料を含む、請求項１０に記載のキット。
【請求項１４】
前記第１のおもりは第１の密度を有し、前記第２のおもりは、前記第１の密度と異なる第２の密度を含む、請求項１０に記載のキット。
【請求項１５】
前記第１の内部穴深さと前記第２の内部穴深さとの間の絶対差は、０．５０ｍｍ以上である、請求項１０に記載のキット。
【請求項１６】
前記第１の内部穴深さと前記第２の内部穴深さとの間の絶対差は、１．００ｍｍ以上である、請求項１５に記載のキット。
【請求項１７】
前記第１のシャフト長さは、前記第２のシャフト長さに実質的に等しい、請求項１０に記載のキット。
【請求項１８】
前記第１の内部穴および前記第２の内部穴の少なくとも一方はねじが切られていない、請求項１０に記載のキット。
【請求項１９】
前記第１の内部穴が、前記第１のシャフト端面から延びる、および
前記第２の内部穴が、前記第２のシャフト端面から延びる、
のうちの少なくとも一方の態様を含む、請求項１０に記載のキット。
【請求項２０】
前記第１の内部穴深さが、前記第１のシャフト長さを超える、および
前記第２の内部穴深さが、前記第２のシャフト長さを超える、
のうちの少なくとも一方の態様を含む、請求項１０に記載のキット。
【請求項２１】
前記第１の内部穴深さが、前記第１のシャフト長さを超える、および
前記第２の内部穴深さが、前記第２のシャフト長さを超える、
のうちの一方のみの態様を含む、請求項２０に記載のキット。
【請求項２２】
請求項１０に記載のおもりのキットと、
各前記おもりを取り外し可能に、かつ交換可能に固定するのに適した、ねじの切られた凹部を有する少なくとも１つのおもりポートを含むゴルフクラブヘッドと、
を含むキット。
【請求項２３】
ゴルフクラブヘッドのおもりポートに取り外し可能に、かつ交換可能に取り付くおもりのキットであって、
第１のヘッド端面を有する第１のヘッドと、
前記第１のヘッド端面と反対側の第１のシャフト端面、第１のシャフト径、および第１のシャフト長さを有する第１のシャフトと、
前記第１のヘッド端面および前記第１のシャフト端面の少なくとも一方から延びる内部穴と、
第１の全長と、
第１の質量と、
を含む第１のおもりと、
第２のヘッドと、
前記第１のシャフト径に実質的に等しい第２のシャフト径と、第２のシャフト長さとを有する第２のシャフトと、
第２の全長と
第２の質量と、
を含み、
前記第１の全長の前記第２の全長に対する第１の比率が０．８５以上であり、
前記第１の質量の前記第２の質量に対する第２の比率が０．５０以下である、
キット。
【請求項２４】
前記第１のおもりは第１の密度を含み、前記第２のおもりは、前記第１の密度を超える第２の密度を含む、請求項２３に記載のキット。
【請求項２５】
前記第１の密度の前記第２の密度に対する第３の比率は、約０．２５〜約０．７５である、請求項２４に記載のキット。
【請求項２６】
前記第２のシャフトは、その長さ全体にわたって、断面が中実である、請求項２３に記載のキット。
【請求項２７】
前記内部穴は、３ｍｍ以上の穴深さを含む、請求項２３に記載のキット。
【請求項２８】
請求項２３に記載のおもりのキットと、
各前記おもりを取り外し可能に、かつ交換可能に固定するのに適した、ねじの切られた凹部を有する少なくとも１つのおもりポートを含むゴルフクラブヘッドと、
を含むキット。
【請求項２９】
ゴルフクラブヘッドのおもりポートに取り外し可能に、かつ交換可能に取り付くおもりのキットを製造する方法であって、
第１のヘッドと前記第１のヘッドに結合された第１のシャフトとを有する第１の中間物本体を形成し、前記第１の中間物本体から第１の質量を除去して第１の内部穴を形成することで、第１のおもりを用意することと、
第２のヘッドと前記第２のヘッドに結合された第２のシャフトとを有する第２の中間物本体を形成し、前記第２の中間物本体から前記第１の質量と異なる第２の質量を除去して第２の内部穴を形成することで、第２のおもりを用意することと、
を含む方法において、
前記第１のおもりは、第１のシャフト長さおよび第１のシャフト径を含み、
前記第２のおもりは、第２のシャフト長さと、前記第１のシャフト径に実質的に等しい第２のシャフト径とを含む、方法。
【請求項３０】
前記第１のシャフト長さは、前記第２のシャフト長さに実質的に等しい、請求項２９に記載の方法。
【請求項３１】
前記第１のシャフト長さは、前記第２のシャフト長さと異なる、請求項２９に記載の方法。
【請求項３２】
第１のおもりを用意するステップが、前記第１のシャフトに第１の外側ねじ面を形成することをさらに含む、および
第２のおもりを用意するステップが、前記第２のシャフトに第２の外側ねじ面を形成することをさらに含む、
のうちの少なくとも一方の態様を含む、請求項２９に記載の方法。
【請求項３３】
前記第１のおもりは、第１の最終的な質量を含み、前記第２のおもりは、前記第１の最終的な質量を少なくとも１ｇだけ超える第２の最終的な質量を含む、請求項２９に記載の方法。
【請求項３４】
前記第２の最終的な質量は、前記第１の最終的な質量を少なくとも３ｇだけ超える、請求項３３に記載の方法。
【請求項３５】
前記第１のおもりは、第１の材料組成を含み、前記第２のおもりは、前記第１の材料組成と異なる第２の材料組成を含む、請求項２９に記載の方法。
【請求項３６】
前記第１の内部穴および前記第２の内部穴の少なくとも一方はねじが切られていない、請求項２９に記載の方法。
【請求項３７】
前記第１のおもりは、第１のシャフト端面をさらに含み、前記第２のおもりは、第２のシャフト端面をさらに含み、
以下の態様、
前記第１の内部穴が、前記第１のシャフト端面から延びる、および
前記第２の内部穴が、前記第２のシャフト端面から延びる、
のうちの少なくとも一方を含む、請求項２９に記載の方法。
【発明の詳細な説明】
【技術分野】
【０００１】
本発明は、ゴルフクラブヘッド用おもり部材に関する。
（著作権委任）
以下の開示は著作権保護の対象となり得る。著作権所有者は、特許庁に記録が残る場合、この開示を含む文献の、何人による複製にも異議を唱えないが、それ以外については、適用可能なすべての著作権を保有する。
【背景技術】
【０００２】
すべてのタイプのゴルフクラブは通常、ゴルフクラブヘッド、シャフト、およびグリップを有する。ゴルフクラブは、ゴルフクラブの性能に重大な影響を及ぼす、重心位置および質量慣性モーメントなどの固有の質量特性を有する。ゴルフクラブの重心位置、および質量慣性モーメントは、少なくとも、ゴルフクラブヘッドの重量および幾何構造と、シャフトの重量、長さ、および形状と、グリップの重量および幾何構造とによって決まる。
【０００３】
ゴルフクラブヘッドは、多くの場合、例えば、ソールプレート、フェースプレートなどの交換可能な部品を有することで個別調整されるように構成され、様々なシャフトおよびグリップのいずれにも合うように構成される。しかし、クラブヘッドに合わせた修正、例えば、様々な長さを有するシャフトの取り換えは、通常、意図しない態様で、クラブヘッドの質量特性に影響を及ぼす（例えば、ゴルフクラブのスイングウェートを変化させる）。したがって、そのような質量特性を調整する手段を提供しない従来の個別調整可能なクラブヘッドは、幅広いゴルファに対して最適化される能力が限定される。
【発明の概要】
【発明が解決しようとする課題】
【０００４】
本発明のいくつかの態様によれば、上記の質量特性を調整する手段を提供できる。
【課題を解決するための手段】
【０００５】
本発明の特定の実施形態は、その１つまたは複数の態様において、有利にも、ゴルフクラブの質量慣性モーメント、重心、および／またはスイングウェートに変化をもたらす１つまたは複数のおもり部材を含むことができる。
【０００６】
様々な実施形態によれば、ゴルフクラブのおもりポートに取り外し可能に取り付くおもり部材は、締結工具の一部を動作可能に受け入れる工具嵌合ポートまたはソケットを有するヘッドを含む。おもり部材はまた、端面で終端する、ヘッドに結合されたシャフトを含む。シャフトは、ねじの切られた外側面と、端面から延びる、ねじの切られていない内部穴とを有する。
【０００７】
様々な実施形態によれば、ゴルフクラブヘッドのおもりポートに取り外し可能に、かつ交換可能に取り付くおもりのキットは、第１のおもりおよび第２のおもりを含む。第１のおもりは、第１のヘッド直径および第１のヘッド端面を有する第１のヘッドを含む。第１のおもりはまた、第１のヘッド端面と反対側の第１のシャフト端面と、第１のシャフト径と、第１のシャフト長さとを有する第１のシャフトを含む。第１のおもりは、第１のヘッド端面および第１のシャフト端面の一方から延びる第１の内部穴をさらに含み、第１の内部穴は、第１の内部穴深さを有する。第２のおもりは、第２のヘッド直径および第２のヘッド端面を有する第２のヘッドを含む。第２のおもりはまた、第２のヘッド端面と反対側の第２のシャフト端面と、第１のシャフト径に実質的に等しい第２のシャフト径と、第２のシャフト長さとを有する第２のシャフトを含む。第２のおもりは、第２のヘッド端面および第２のシャフト端面の一方から延びる第２の内部穴をさらに含み、第２の内部穴は、第１の内部穴深さとは異なる第２の内部穴深さを有する。
【０００８】
様々な実施形態によれば、ゴルフクラブヘッドのおもりポートに取り外し可能に、かつ交換可能に取り付くおもりのキットは、第１のおもりおよび第２のおもりを含む。第１のおもりは、第１のヘッド端面を有する第１のヘッドを含む。第１のおもりはまた、第１のヘッド端面と反対側の第１のシャフト端面と、第１のシャフト径と、第１のシャフト長さとを有する第１のシャフトを含む。第１のおもりは、第１のヘッド端面および第１のシャフト端面の一方から延びる内部穴をさらに含む。第１のおもりは、第１の全長および第１の質量をさらに含む。第２のおもりは第２のヘッドを含む。第２のおもりはまた、第１のシャフト径に実質的に等しい第２のシャフト径と、第２のシャフト長さとを有する第２のシャフトを含む。第２のおもりは第２の全長をさらに含み、第１の全長の第２の全長に対する第１の比率は０．８５以上である。第２のおもりは第２の質量をさらに含み、第１の質量の第２の質量に対する第２の比率は０．５０以下である。
【０００９】
様々な実施形態によれば、ゴルフクラブヘッドのおもりポートに取り外し可能に、かつ交換可能に取り付くおもりのキットを製造する方法は、第１のヘッドと第１のヘッドに結合された第１のシャフトとを有する第１の中間物本体を形成し、第１の中間物本体から第１の質量を除去して第１の内部穴を形成することで、第１のおもりを用意することを含む。方法は、第２のヘッドと第２のヘッドに結合された第２のシャフトとを有する第２の中間物本体を形成し、第２の中間物本体から第２の質量を除去して第２の内部穴を形成することで、第２のおもりを用意することをさらに含み、第２の質量は第１の質量と異なる。第１のおもりは、第１のシャフト長さおよび第１のシャフト径を含む。第２のおもりは、第２のシャフト長さと、第１のシャフト径に実質的に等しい第２のシャフト径とを含む。
【００１０】
下記に詳細に説明する各種実施例の一つまたは複数によって提示されるような、様々な態様の本発明によるゴルフクラブヘッドのこれらのおよび他の特徴ならびに利点が、下記の説明、添付図面、および添付の特許請求の範囲を検討した後に明らかになるであろう。添付図面は単に例示を目的としており、本発明の範囲を限定することを意図するものではない。
【００１１】
本発明は、その１つまたは複数の態様において、添付図面の図に一例として示されるのであって、限定する目的で示されるのではない。
【図面の簡単な説明】
【００１２】
【図１】一実施形態による、おもりポートに取り付けられたおもり部材を有するゴルフクラブヘッドの後部斜視図である。
【図１ａ】一実施形態による、おもりポートおよびおもり部材を有するゴルフクラブヘッドの後部分解斜視図である。
【図２】図２（ａ）−図２（ｄ）はそれぞれ、様々な実施形態による、ソケット部分をより詳細に示す、おもり部材の代替実施形態の上面図である。
【図３】一実施形態による、おもり部材のシャフトを通る内部穴を有するおもり部材のキットの正面図である。
【図３ａ】一実施形態による、図３に示すおもり部材の断面図である。
【図４】一実施形態による、おもり部材のシャフトを通る、底部の平坦な穴を有するおもり部材のキットの正面図である。
【図５】一実施形態による、おもり部材のヘッドから延びる穴を有するおもり部材のキットの正面図である。
【図６】一実施形態による、おもり部材のキットを製造する方法の流れ図である。
【発明を実施するための形態】
【００１３】
説明のために、上記の図は必ずしも一定の縮尺で描かれていない。すべての図において、同じまたは同様の要素は同じ参照数字で表されている。
【００１４】
以下に開示する、本発明によるおもり部材の１つまたは複数の新規でかつ非自明の態様および特徴の代表例は、いかなる態様においても限定することを意図されるものではない。さらに、本発明の種々の態様および特徴は、単独で、または様々な、新規で非自明の互いの組み合わせおよび部分的組み合わせで使用することができる。別途指定がない限り、明細書および特許請求の範囲で使用される量、比率、および数字で示した特性を表すすべての数値は、すべての場合において、「約」という用語によって範囲を緩和されると解釈すべきである。
【００１５】
説明したように、すべてのタイプのゴルフクラブは通常、ゴルフクラブヘッド、シャフト、およびグリップを有する。ゴルフクラブは、ゴルフクラブの性能に重大な影響を及ぼす重心位置および質量慣性モーメントを有する。ゴルフクラブの重心位置、および質量慣性モーメントは、少なくとも、ゴルフクラブヘッドの重量および幾何構造と、シャフトの重量、長さ、および形状と、グリップの重量および幾何構造とによって決まる。ゴルフクラブヘッドは、多くの場合、例えば、ソールプレート、フェースプレートなどの交換可能な部品を有することで個別調整されるように構成され、様々なシャフトおよびグリップのいずれにも合うように構成される。しかし、クラブヘッドに合わせた修正、例えば、様々な長さを有するシャフトの取り換えは、通常、意図しない態様で、クラブヘッドの質量特性に影響を及ぼす（例えば、ゴルフクラブのスイングウェートを変化させる）。
【００１６】
したがって、本発明は、特定の実施形態によれば、ゴルフクラブヘッドに取り付けるのにメーカおよび／または使用者が選択できるおもり部材であり、ゴルフクラブの質量特性、例えば、ゴルフクラブの質量慣性モーメント、重心位置、および／またはスイングウェートの変化に影響を及ぼす１つまたは複数のおもり部材に関する。ゴルフクラブヘッド内の様々な位置で、１つまたは複数のおもり部材をゴルフクラブヘッドに導入することには、それらに限定されるものではないが、ゴルフクラブヘッドが様々なシャフトおよびグリップと組立できるように、個別調整可能なゴルフクラブヘッドを同じ原型品から製造するのを可能にする、かつ／または、必要に応じて簡単な工具を用いた、製造後の使用者による個別調整を可能にするなどのいくつかの利点がある。ゴルフクラブヘッド、シャフト、およびグリップの様々な組み合わせに関する使用者の選好および／または性能仕様に基づくゴルフクラブヘッドの質量特性に影響を及ぼすことにより、自身のショット能力に対する使用者の信頼が高まる。さらに、特に、スイングウェートを補正する場合に、交換可能なおもり部材を使用することで、「ねずみ取り粘着剤」を使用するなどの従来の方法と対照的に、制御されないおもり配置ではなくて、所望する位置におもりを正確に配置することが可能になる。
【００１７】
１つまたは複数の実施形態では、および図１〜図１ａに例として示すように、ゴルフクラブヘッド１００は、ウッドタイプのゴルフクラブヘッドを含む。ただし、ゴルフクラブヘッド１００はウッドタイプのゴルフクラブヘッドとして図示されているが、ゴルフクラブヘッド１００は、任意のもの、例えば、アイアンタイプ、パタータイプ、ウッドタイプ、ハイブリッドタイプなどであってもよいことに留意されたい。さらに、ゴルフクラブヘッド１００は、右利き用のゴルフクラブヘッドであるとして図示されているが、ゴルフクラブヘッド１００上の任意の位置についての任意の言及が、左利き用のゴルフクラブヘッドに反映および適用され得ることに留意されたい。
【００１８】
図１は、一実施形態による、ゴルフクラブヘッド１００と、おもりポート１０３内に取り外し可能に固定されたおもり部材１０１との組立品を示している。おもりポート１０３
は、ゴルフクラブヘッド１００の任意の位置に配置することができ、ゴルフクラブヘッド１００の構造に応じて、単一または複数とすることができる。おもり部材１０１は、ヘッド１０５を有する。ヘッド１０５は、１つまたは複数の工具嵌合ポートまたはソケット１０７を有する。工具嵌合ポート１０７は、それらに限定されるものではないが、（図２（ａ）〜図２（ｄ）に示し、下記に説明するように）プラスのねじ頭、マイナスのねじ頭、六角のねじ頭、星形のねじ頭、トルクス（登録商標）ねじ頭、４突起レンチ用ねじ頭、任意の専用ねじ頭などの任意のタイプとすることができる。
【００１９】
図１ａは、様々な実施形態による、図１に示す組立品の分解図を示している。ゴルフクラブヘッド１００およびおもり部材１０１は分離されている。締結工具（図示せず）を使用して、おもり部材１０１をクラブヘッド１００に着脱することができる。おもりポート１０３は、おもり部材１０１との取り外し可能な結合を可能にするねじ山１０９を切られている。おもり部材１０１は、ソケット１０７の付いたヘッド１０５およびシャフト１１１を有するとして示されている。シャフト１１１は端面で終端し、シャフト１１１の外側面に少なくとも３つのねじ山１１３でねじを切られている。ねじ山１１３は、おもり部材１０１がゴルフクラブヘッド１００に固定されたときに、ねじ山１０９とかみ合う。シャフト１１１は、下記にさらに詳細に説明するように、端面から延びる、ねじの切られていない内部穴を有してよいし、または有さなくてもよい。各ヘッド部分１０５およびシャフト１１１は、それぞれの外径を有する。一部の実施形態では、ヘッド部分１０５の外径は、シャフト１１１の外径以上である。一部の実施形態では、ヘッド１０５の外径は、シャフト１１１の外径よりも大きいので、クラブヘッド１００に固定された場合に、ヘッド１０５は、おもりポート１０３のショルダ部分に当接する。代替実施形態では、おもり部材１０１は、締まり嵌め、または他の任意の機械式相互ロック装置、接着、溶接、ろう付け、または他の材料結合処理によって、おもりポート１０３に固定されるように構成される。
【００２０】
図２（ａ）〜図２（ｄ）は、様々な実施形態による、様々なタイプのソケット１０７ａ〜１０７ｄを示している。図２（ａ）は、プラスのねじ回しである、またはプラスのねじ回しと同様である工具と嵌合するプラスのねじ頭タイプのポートであるソケット１０７ａを示している。
【００２１】
図２（ｂ）は、マイナスのねじ回しである、またはマイナスのねじ回しと同様である工具と嵌合するマイナスのねじ頭タイプのポートであるソケット１０７ｂを示している。
【００２２】
図２（ｃ）は、レンチまたはねじ回しである、またはそれらと同様である工具と嵌合する４突起用ねじ頭タイプのポートであるソケット１０７ｃを示しており、レンチまたはねじ回しは、工具嵌合ポート１０７ｃと嵌合する一組の雄突起を有する。
【００２３】
図２（ｄ）は、ソケット１０７ｄを示しており、ソケット１０７ｄは、ソケット１０７ｄと嵌合するように特別に設計された工具と嵌合する専用ねじ頭タイプのポートである。ソケット１０７ｄは、おもり部材１０１の取り付けに有利な影響を及ぼすことができる任意の形状、幾何構造、または凹凸構造とすることができる。
【００２４】
様々な実施形態では、ソケット１０７ｃおよびソケット１０７ｄは、例えば、（下記に説明するように）おもり部材１０１を完全に貫通する穴（図示せず）、またはヘッド１０５の端面から延びる内部穴を収容するようにさらに構成することができる。
【００２５】
図３は、１つまたは複数の実施形態によるおもり部材３０１ａ〜３０１ｅ（全体として、おもり部材３０１と表す）のキット３００を示している。おもり部材３０１は、図１および図１ａに示すおもりポート１０３への交換可能な取り付けに適している。各おもり部材３０１は、ヘッド３０５ａ〜３０５ｅ（全体として、ヘッド３０５と表す）を有する。各おもり部材３０１はまた、それぞれヘッド３０５から延び、ヘッド３０５に隣接するシャフト３１１ａ〜３１１ｅ（全体として、シャフト３１１と表す）を有する。シャフト３１１はそれぞれ、上記のおもりポート１０３内に取り外し可能に、かつ隙間なく固定可能なように大きさを合わされた実質的に等しい外径とされる。例えば、一部の実施形態では、キット３００の各おもり部材３０１は、同様のねじ幾何構造、例えば、ミリメートル当たりのねじ山数およびピッチなどを有する。シャフト３１１はまた、外径が互いに実質的に等しい。用語「実質的に」は、各おもり部材３０１が、特定の内径およびねじ幾何構造を有する、特定のねじの切られたおもりポート、例えば、おもりポート１０３に隙間なく、かつ取り外し可能に固定されるのを可能にするシャフト径の許容公差の範囲に関係する。別途指定がない限り、下記に説明する各キットの実施形態は、外径が実質的に等しいシャフトを有するおもり部材で構成されるのが好ましい。
【００２６】
キット３００の各おもり部材３０１は、質量が互いに異なる。一実施形態では、キット３００は、質量が最も小さいものから質量が最も大きいものまで揃えた場合に、質量が最も小さいおもり部材３０１の質量が７ｇ以下であるおもり部材３０１を含む。別の実施形態では、質量が最も小さいおもり部材３０１の質量は８ｇ以下である。さらなる実施形態では、質量が最も小さいおもり部材３０１の質量は９ｇ以下である。
【００２７】
様々な実施形態では、キット３００のおもり部材３０１は、質量の差がキット３００の間で均等に配分されるように、質量が任意の量だけ互いに異なる。さらなる実施形態では、キット３００のおもり部材３０１は、質量の差がキット３００の間で均等に配分されるように、質量が少なくとも１ｇだけ互いに異なる。他の実施形態では、キット３００のおもり部材３０１は、質量の差がキット３００の間で均等に配分されるように、質量が少なくとも２．５ｇだけ互いに異なる。別の実施形態では、キット３００のおもり部材３０１は、質量の差がキット３００の間で均等に配分されるように、質量が少なくとも３ｇだけ互いに異なる。さらなる実施形態では、キット３００のおもり部材３０１は、質量の差がキット３００の間で不均等に配分されるように、質量が任意の量だけ互いに異なる。
【００２８】
他の実施形態では、キット３００のおもり部材３０１は、質量が大きい方のおもり部材３０１と比較した、質量が小さい方のおもり部材３０１の比率が０．５０以下であるように、質量が任意の量だけ均等に、または不均等に互いに異なる。この実施形態では、キット３００には、この比率をもたらす質量特性を有する少なくとも１対のおもり部材３０１がある。なお、キット３００は、５つの異なるおもり部材３０１ａ〜３０１ｅを有するように図示されているが、キットは、２つ以上の任意の数量のおもり部材で構成することができる。１つまたは複数の実施形態では、おもり部材３０１ａは７ｇの質量を有し、おもり部材３０１ｂは１０ｇの質量を有し、おもり部材３０１ｃは１３ｇの質量を有し、おもり部材３０１ｄは１６ｇの質量を有し、おもり部材３０１ｅは１８．５ｇの質量を有する。
【００２９】
１つまたは複数の実施形態では、キット３００の一部であるおもり部材３０１間の質量の相違は、それらに限定するものではないが、シャフト３１１の長さの相違、おもり部材３０１の材料の相違、おもり部材３０１内の１つまたは複数の穴の存在、穴の欠如、穴の数量、任意の内部穴の深さを含む１つまたは複数の穴の寸法、またはそれらの組み合わせなどの要因によってもたらされる。例えば、一部の実施形態では、ゴルフクラブヘッドは、それぞれが異なるシャフト長さを有する交換可能なシャフトセットの１つに取り付け可能である。キットのおもり部材は、おもり部材の質量が、セットの各シャフトのシャフト長さと線形の関係で増加するように構成されるのが好ましい。
【００３０】
おもり部材３０１はそれぞれ全長を有する。一部の実施形態では、キット３００を構成
する各おもり部材３０１の全長は実質的に等しい。代替実施形態では、おもり部材３０１は全長が異なる。例えば、（図３に示す）一部のそのような実施形態では、各おもり部材のヘッド長さｈは一定であるが、シャフト長さ、例えば、Ｌ１−ｈは、キット３００の少なくとも２つのおもり部材３０１間で異なる。例えば、おもり部材３０１ａ、３０１ｂ、３０１ｃの全長ＬはＬ１であり、一方、おもり部材３０１ｄ、３０１ｅの全長ＬはＬ２である。シャフト３１１の長さは、Ｌからｈを減ずることで算出することができる。例えば、シャフト３１１ａの長さはＬ１−ｈであり、シャフト３１１ｄの長さはＬ２−ｈである。１つまたは複数の実施形態では、全長Ｌは１０ｍｍ以上である。別の実施形態では、全長Ｌは１５ｍｍ以上である。さらなる実施形態では、全長Ｌは、１５ｍｍ〜２０ｍｍである。
【００３１】
なお、特定の実施形態では、ヘッドの高さｈは、キット３００のおもり部材３０１の間で変えることができる。ヘッド高さｈを変えることも、おもり部材３０１の質量、および、例えば、おもりポート１０３の深さに影響を及ぼす。
【００３２】
様々な実施形態では、キット３００は、それぞれが異なる値の全長Ｌを有する少なくとも２つのおもり部材３０１を含む。例えば、図３に示す実施形態では、各おもり部材３０１ａ、３０１ｂ、３０１ｃは全長Ｌ１を含む。各おもり部材３０１ｄ、３０１ｅは、Ｌ１とは異なる全長Ｌ２を有する。一部の実施形態では、Ｌ２はＬ１よりも大きい。一部の実施形態では、全長比Ｌ１／Ｌ２は０．７５以上である。別の実施形態では、この実施形態において、全長比Ｌ１／Ｌ２は０．８５以上である。さらなる実施形態では、比率Ｌ１／Ｌ２は、約０．８５〜約０．９６である。ただし、キット３００は、任意の全長比で互いに関係を持つ任意の数量のおもり部材３０１を含むことができる。１つまたは複数の実施形態では、例えば、Ｌ１は約１６．７ｍｍであり、Ｌ２は約１７．６５ｍｍである。
【００３３】
様々な実施形態では、おもり部材３０１は、ステンレス鋼、チタン、ニッケル、タングステン、他の金属、および／またはポリマーなどの材料の任意の組み合わせで構成される。一部の実施形態では、各おもり部材３０１の組成は異なり、材料は様々な密度を有するので、それによって、おもり部材３０１の質量に影響を及ぼす。例えば、鋼（密度が約７．８５ｇ／ｃｍ３）で構成されたおもり部材３０１は、タングステン−ニッケル（密度が約１４．０ｇ／ｃｍ３）で構成されたおもり部材よりも低い密度を有する。したがって、鋼で構成され、タングステン−ニッケルで構成されたおもり部材３０１と同じ空間を占有する（体積）おもり部材３０１は、タングステン−ニッケルで構成されたおもり部材よりも小さい質量を有する。
【００３４】
様々な実施形態では、キット３００は、それぞれが異なる値の密度を有し、第２のおもり部材３０１の密度が第１のおもり部材３０１の密度を超える少なくとも２つのおもり部材３０１を含む。一部の実施形態では、第１のおもり部材３０１の密度の第２のおもり部材３０１の密度に対する比率は０．２０以上である。別の実施形態では、密度の比率は約０．２５〜約０．７５である。さらなる実施形態では、密度の比率は０．５０以上である。１つまたは複数の実施形態では、図３を参照して、おもり部材３０１ａ、３０１ｂ、３０１ｃはそれぞれステンレス鋼を含み、それぞれ約６ｇ／ｃｍ３〜１０ｇ／ｃｍ３の密度を有し、一方、おもり部材３０１ｄ、３０１ｅはそれぞれ、約１２ｇ／ｃｍ３〜約１６ｇ／ｃｍ３の密度を有するタングステン−ニッケル合金を含む。
【００３５】
様々な実施形態では、おもり部材３０１の少なくとも１つは穴を有する。例えば、図３に示すように、おもり部材３０１ａは穴３１５ａを含み、おもり部材３０１ｃは穴３１５ｃを含み、おもり部材３０１ｄは穴３１５ｄを含む（全体として、穴３１５と表す）。各穴３１５ａ、３１５ｃ、３１５ｄは、それらの対応するおもり部材３０１ａ、３０１ｃ、３０１ｄから特定の質量を取り除く働きをする。図示するように、穴３１５はねじがなく
、一部の実施形態では、互いに異なる深さＤを有し、そのため、対応するおもり部材３０１から取り除かれた質量は他のおもり部材３０１と異なる。代替実施形態では、穴３１５は、穴３１５内に取り付けられるように構成されたさらなる部材（図示せず）を収容するためにねじを切ることができる。さらなる部材は、別のおもり部材、消振ダンパなどのいずれかとすることができる。しかし、そのようなねじの切られた構成は通常、製造コストを上げ、おもり部材３０１の構造上の完全性に悪影響を及ぼす応力集中を発生させる。穴の内部にねじを切る代わりとして、さらなる部材を収容するために、ポップイン（ｐｏｐ−ｉｎ）ソケット連結を穴３１５内に構成することができる。
【００３６】
一部の実施形態では、例えば、図３に示す実施形態では、穴３１５ａ、３１５ｃ、３１５ｄは同じ直径である。一部のそのような実施形態では、穴径は、約４ｍｍ〜約８ｍｍである。他のそのような実施形態では、穴径は、約６ｍｍ〜約７ｍｍである。代替実施形態では、穴３１５は互いに直径が異なり、同じか、または異なる深さを有する。穴３１５は単一の穴として図示されているが、さらなる実施形態では、代替案として、任意のおもり部材３０１は複数の穴３１５を有する。穴３１５は、ヘッド３０５に向かって円錐またはボウル形状の端面を有するように図示されているが、穴３１５は、平坦な端部を有してもよい（図４を参照のこと）。穴深さＤは、特定の実施形態では、シャフト３１１のシャフト長さ（Ｌ−ｈ）より長くても、短くても、または同じでもよい。言い換えると、穴３１５を有する少なくとも１つのおもり部材では、穴深さは、断面図で見てヘッド３０５内に延びてもよい。例えば、穴３１５ａは、おもり部材３０１ａのヘッド３０５内に少なくとも部分的に延びる。１つまたは複数の実施形態では、穴深さＤは３ｍｍ以上である。他の実施形態では、穴深さＤは６ｍｍ以上である。さらなる実施形態では、穴深さＤは９ｍｍ以上である。
【００３７】
１つまたは複数の実施形態において、穴深さＤをシャフト長さ（Ｌ−ｈ）と比較する。この実施形態では、穴深さのシャフト長さに対する比率は０．１５以上である。別の実施形態では、穴深さのシャフト長さに対する比率は０．２０以上である。さらなる実施形態では、穴深さのシャフト長さに対する比率は０．２５以上である。
【００３８】
様々な実施形態では、キット３００は、深さＤの異なる穴を有する、少なくとも、第１および第２のおもり部材３０１を含む。例えば、第１のおもり部材３０１ａは、第１の穴深さＤ１を有して図３に示され、第２のおもり部材３０１ｄは、深さＤ３を有する第２の穴を有して示され、穴深さＤ１、Ｄ３間の差の絶対値は、例えば、０．５０ｍｍ以上である。別の実施形態では、そのような差の絶対値は１．００ｍｍ以上である。さらなる実施形態では、そのような差の絶対値は１．５０ｍｍ以上である。
【００３９】
あるいは、おもり部材は、質量を取り除く穴３１５を有さなくてもよくて、むしろ、おもり部材３０１ｂ、３０１ｅなどのおもり部材は、全体にわたって中実である。
【００４０】
上記の実施形態を組み合わせて、おもり部材３０１の質量に影響を及ぼす任意の数量の変形品を作ることができる。さらに、おもり部材３０１は、同じタイプの変形品または変形品の組み合わせを基本として、異なる質量を有してよいし、または有さなくてもよい。
【００４１】
表１−１は、材料、シャフト長さ、および穴深さの様々な組み合わせがおもり部材３０１の質量にどのように影響を及ぼすかについての例である。
【００４２】
【表１】
2013043091.tif 000003
【００４３】
図３ａは、一実施形態によるおもり部材３０１の断面の正面図である。特に、図３ａは、例として、おもり部材３０１ｃを示している。おもり部材３０１ｃは、ヘッド３０５ｃの端面３１７と、およびおもり部材３０１ｃの底面、すなわちシャフト端面３１９とに垂直な態様で、おもり部材３０１ｃの中心を通る中心軸ＣＡを有する。ヘッド３０５ｃ、シャフト３１１ｃ、および穴３１５ｃはすべて、中心軸ＣＡと同軸であるとして図示されている。しかし、代替実施形態は、中心軸ＣＡと同軸でない１つまたは複数の穴３１５を形成することができる。
【００４４】
おもり部材３０１ｃは、中心軸ＣＡにほぼ垂直なヘッド面３２１を有する。おもり部材３０１ｃは、ヘッド面３２１と底面３１９との間で測定された全長Ｌを有する。全長Ｌは、上記のように、キット３００のおもり部材３０１の間で異なってよい。一実施形態では、全長Ｌは１０ｍｍ以上である。別の実施形態では、全長Ｌは１５ｍｍ以上である。さらなる実施形態では、全長Ｌは２０ｍｍ以下である。
【００４５】
ヘッド３０５は、ヘッド面３２１から端面３１７まで中心軸ＣＡに沿って測定された高さｈを有する。ヘッドの高さｈは、キット３００の各おもり部材３０１の間でほぼ一定であるが、代替実施形態では、高さｈは、例えば、最も軽いものから最も重いものまでのおもり部材３０１の質量の違いをさらに大きくするために相違させることができる。ヘッド３０５ｃの高さｈは８ｍｍ以下である。別の実施形態では、ヘッド３０５ｃのヘッド高さｈは６ｍｍ以下である。さらなる実施形態では、ヘッド３０５ｃのヘッド高さｈは４ｍｍ以下である。
【００４６】
ヘッド３０５ｃは、１５ｍｍ以下であるヘッド外径Ｗを有する。別の実施形態では、ヘッド外径Ｗは１３ｍｍ以下である。別の実施形態では、ヘッド外径Ｗは１０ｍｍ以下である。
【００４７】
シャフト３１１ｃは、シャフトのねじの切られた部分の外側限界から測定した、断面図におけるシャフト３１１ｃの全体厚さであるシャフト径ΦＳを有する。シャフト径ΦＳは、上記のように、おもり部材３０１ｃとおもりポート１０３との、固定可能で、かつ取り外し可能な結合に必要な寸法公差を許容しつつ、おもりポート１０３の直径に実質的に等しくなっている。シャフト径ΦＳは、ヘッド外径Ｗ以下である。したがって、一実施形態では、シャフト径ΦＳは１５ｍｍ以下である。別の実施形態では、シャフト径ΦＳは１３ｍｍ以下である。さらなる実施形態では、シャフト径ΦＳは１０ｍｍ以下である。
【００４８】
ねじ山３１３は、シャフト３１１の外周面に沿って形成されている。一実施形態では、ねじの切られた外側面は、３つ以上のねじ山３１３を含む。別の実施形態では、ねじの切られた外側面は、５つ以上のねじ山３１３を含む。さらなる実施形態では、ねじの切られた外側面は、６つ以上のねじ山３１３を含む。さらなる実施形態では、ねじの切られた外側面は、８つ以上のねじ山３１３を含む。
【００４９】
実施形態では、ねじ山３１３の数量は、ねじ山数／ｍｍによって示すこともできる。一実施形態では、キット３００のおもり部材３０１のいずれかのねじ山３１３のねじ山数／ｍｍは、０．２７〜１．１０ねじ山／ｍｍの範囲をとる。別の実施形態では、キット３００のおもり部材３０１のいずれかのねじ山３１３のねじ山数／ｍｍは、０．５５〜０．９４ねじ山／ｍｍの範囲をとる。さらなる実施形態では、キット３００のおもり部材３０１のいずれかのねじ山３１３のねじ山数／ｍｍは、０．６２〜０．８４ねじ山／ｍｍの範囲をとる。さらなる実施形態では、キット３００のおもり部材３０１のいずれかのねじ山３１３のねじ山数／ｍｍは、約０．７９ねじ山／ｍｍである。
【００５０】
実施形態では、ねじ山３１３は、シャフト３１１の外周面とねじ山３１３の先端との間で、中心軸ＣＡに垂直な方向に測定したねじ山高さｔｈを有する。一実施形態では、キット３００のおもり部材３０１のいずれかのねじ山３１３のねじ山高さｔｈは、０．５０ｍｍ〜２ｍｍの範囲をとる。別の実施形態では、キット３００のおもり部材３０１のいずれかのねじ山３１３のねじ山高さｔｈは、０．７０ｍｍ〜１．５０ｍｍの範囲をとる。さらなる実施形態では、キット３００のおもり部材３０１のいずれかのねじ山３１３のねじ山高さｔｈは、０．８０ｍｍ〜１．１０ｍｍの範囲をとる。さらなる実施形態では、キット３００のおもり部材３０１のいずれかのねじ山３１３のねじ山高さｔｈは、約０．９１ｍｍである。一部の実施形態では、ねじ山の総数は、キット３００の各おもり部材に対して実質的に一定である。同様に、一部の実施形態では、ミリメートル当たりのねじ山数は、キット３００の各おもり部材に対して実質的に一定である。そのような構成は、製造コストを下げ、単一のおもりポートに関するキットの各おもり部材の互換性を可能にするという点で有利である。
【００５１】
実施形態では、穴３１５は、通常、直径ＢＤである、断面における穴幅を有し、その場合に穴３１５は円形である。穴幅は、穴深さＤと同様に、おもり部材３０１の質量に影響を与えるように、キット３００内の１つのおもり部材と別のおもり部材との間で変えることができる。一実施形態では、穴幅ＢＤは約６．３５ｍｍであり、キット３００のすべてのおもり部材３０１の間で一定に維持されてよいし、またはキット３００のおもり部材３０１の質量に影響を与えるように変えてもよい。別の実施形態では、穴幅ＢＤは２ｍｍ〜８ｍｍの範囲をとる。さらなる実施形態では、穴幅ＢＤは５ｍｍ〜７ｍｍの範囲をとる。
【００５２】
様々な実施形態では、穴３１５は、上記のように、入口方向から見た場合に通常円形である。穴の輪郭は、それに代えて、正方形、長方形、八角形、六角形、他の任意の多角形、あるいはだ円形または直線もしくはエッジを有する、もしくは有さない他のアーチ形もしくは湾曲形状などの任意の形状とすることができる。他の実施形態では、穴３１５は、ほぼ直線の側面を有するとされるが、穴３１５の内側は、中心軸ＣＡに対して、段付き、リブ付き、曲線、角度をなす斜面などとすることができる。言い換えると、一部の実施形態では、穴の輪郭は中心軸ＣＡに沿って変化する。さらなる実施形態では、穴３１５は、開口からその端部の近くまで、全体的に均一な穴幅ＢＤを有するとされるが、開口は、穴３１５の残りの部分よりも大きいか、または小さい幅を有することができる。穴３１５の側面はまた、凹面、凸面、またはそれらの任意の組み合わせとすることができる。
【００５３】
図４は、一実施形態による、おもり部材４０１ａ〜４０１ｅ（全体として、おもり部材４０１と表す）のキット４００を示している。おもり部材４０１は、図１および図１ａに
示すおもりポート１０３に取り付けるのに適している。各おもり部材４０１は、必須のヘッド４０５ａ〜４０５ｅ（全体として、ヘッド４０５と表す）を有する。各おもり部材４０１は、ヘッド４０５から延び、上記のおもりポート１０３の内径と実質的に等しい外径とされる必須のシャフト４１１ａ〜４１１ｅ（全体として、シャフト４１１と表す）を有する。シャフト４１１はまた、外径が互いに実質的に等しい。再度、用語「実質的に」は、おもり部材が、ねじの切られたおもりポート１０３に隙間なく、かつ取り外し可能に固定され得るシャフト径の許容公差の範囲に関係する。
【００５４】
様々な実施形態では、キット４００は、キット３００に関連して上記に説明した実施形態と同様な態様で構成されるが、キット４００は、特に、平坦な端部を有する穴を示している。おもり部材４０１は、例えば、おもり部材４０１ａ、４０１ｃ、４０１ｄから特定の質量を取り除く穴４１５ａ、穴４１５ｃ、または穴４１５ｄ（全体として、穴４１５と表す）を有する。図示するように、穴４１５はねじがなく、少なくとも２つは、対応するおもり部材４０１から取り除かれた質量が、他のおもり部材４０１の任意のものと異なるように、互いに深さが異なる。実施形態では、穴４１５は、穴４１５内に取り付けられるように構成されたさらなる部材（図示せず）を収容するためにねじを切ることができる。さらなる部材は、別のおもり部材、消振ダンパなどのいずれかとすることができる。穴の内部にねじを切る代わりとして、さらなる部材を収容するために、ポップイン（ｐｏｐ−ｉｎ）ソケット連結を穴４１５内に構成することができる。
【００５５】
他の実施形態では、穴４１５は互いに直径が異なり、同じか、または異なる深さとすることができる。穴４１５は単一の穴として図示されているが、さらなる実施形態では、代替案として、おもり部材４０１は複数の穴４１５を有する。穴深さは、特定の実施形態では、シャフト４１１のシャフト長さ（Ｌ−ｈ）より長くても、短くても、または同じでもよい。言い換えると、穴深さは、ヘッド４０５内に延びてもよい。
【００５６】
様々な実施形態では、キット４００は、それぞれが異なる値の穴深さを有する少なくとも２つのおもり部材４０１を含み、各おもり部材４０１の穴深さ間の差の絶対値は、例えば、０．５０ｍｍ以上である。別の実施形態では、穴深さ間の差の絶対値は１．００ｍｍ以上である。さらなる実施形態では、穴深さ間の差の絶対値は１．５０ｍｍ以上である。
【００５７】
あるいは、おもり部材は、質量を取り除く穴４１５を有さなくてもよくて、むしろ、おもり部材４０１ｂ、４０１ｅなどのおもり部材は中実である。
【００５８】
上記の実施形態を組み合わせて、おもり部材４０１の質量に影響を及ぼす任意の数量の変形品を作ることができる。さらに、おもり部材４０１は、同じタイプの変形品または変形品の組み合わせを基本として、異なる質量を有してよいし、または有さなくてもよい。
【００５９】
図５は、一実施形態による、おもり部材５０１ａ〜５０１ｅ（全体として、おもり部材５０１と表す）のキット５００を示している。おもり部材５０１は、図１および図１ａに示すおもりポート１０３に取り付けるのに適している。各おもり部材５０１は、必須のヘッド５０５ａ〜５０５ｅ（全体として、ヘッド５０５と表す）を有する。各おもり部材５０１は、ヘッド５０５から延び、上記のおもりポート１０３の内径と実質的に等しい外径とされる必須のシャフト５１１ａ〜５１１ｅ（全体として、シャフト５１１と表す）を有する。シャフト５１１はまた、外径が互いに実質的に等しい。再度、用語「実質的に」は、おもり部材が、ねじを切られたおもりポート１０３に隙間なく、かつ取り外し可能に固定され得るシャフト径の許容公差の範囲に関係する。
【００６０】
様々な実施形態では、キット５００は、キット３００に関連して上記に説明したものと同じ特徴を多数有するが、キット５００は、特に、平坦な端部を有し、おもり部材５０１
の底面５１９ではなくて、ヘッド５０５から延びる穴を示している。特に、おもり部材５０１は、それぞれが、例えば、おもり部材５０１ａ、５０１ｃ、５０１ｄから特定の質量を取り除く穴５１５ａ、穴５１５ｃ、または穴５１５ｄ（全体として、穴５１５と表す）を有する。図示するように、穴５１５はねじがなく、すべての穴は、おもり部材５０１の１つから取り除かれた質量が、少なくとも１つの他のおもり部材５０１と異なるように、互いに深さが異なる。実施形態では、穴５１５は、穴５１５内に取り付けられるように構成されたさらなる部材（図示せず）を収容するためにねじを切ることができる。さらなる部材は、別のおもり部材、消振ダンパなどのいずれかとすることができる。穴の内部にねじを切る代わりとして、さらなる部材を収容するために、ポップイン（ｐｏｐ−ｉｎ）ソケット連結を穴５１５内に構成することができる。
【００６１】
他の実施形態では、穴５１５は互いに直径が異なり、同じか、または異なる深さとすることができる。穴５１５は単一の穴として図示されているが、さらなる実施形態では、代替案として、任意のおもり部材５０１は複数の穴５１５を有する。穴深さは、特定の実施形態では、ヘッド５０５のヘッド長さより長くても、短くても、または同じでもよい。言い換えると、一部の実施形態の、およびおもり部材５０１の少なくとも１つ用の穴深さはシャフト５１１内に延びる。
【００６２】
様々な実施形態では、キット５００は、それぞれが異なる値の穴深さを有する少なくとも２つのおもり部材５０１を含み、少なくとも２つのおもり部材５０１の穴深さ間の差の絶対値は、例えば、０．５０ｍｍ以上である。別の実施形態では、穴深さ間の差の絶対値は１．００ｍｍ以上である。さらなる実施形態では、穴深さ間の差の絶対値は１．５０ｍｍ以上である。あるいは、おもり部材は、質量を除去する穴５１５を有さなくてもよくて、むしろ、おもり部材５０１ｂ、５０１ｅなどのおもり部材は中実である。上記の実施形態を組み合わせて、おもり部材５０１の質量に影響を及ぼす任意の数量の変形品を作ることができる。さらに、おもり部材５０１は、同じタイプの変形品または変形品の組み合わせを基本として、異なる質量を有してよいし、または有さなくてもよい。
【００６３】
図６は、上記の実施形態のいずれかによる、ゴルフクラブ、例えば、ゴルフクラブ１００のおもりポートに取り外し可能に、かつ交換可能に取り付くおもりのキットを製造する方法６００の流れ図を示している。方法６００は、それらに限定するものではないが、旋削、フライス削り、鋳造、型成形などの任意の製造工程を使用して実施することができる。方法６００は、第１のヘッドと、第１のヘッドに結合された第１のシャフトとを有する第１の中間物本体を形成することで、第１のおもりが用意されるステップ６０１で始まる。方法６００は、第１の中間物本体から第１の質量を除去して第１の内部穴を形成するステップ６０３に進む。この材料除去工程は、一部の実施形態では、フライス削り工程を含む。他の実施形態では、材料除去工程は、ドリルによる穴あけ工程などを含む。次いで、ステップ６０５で、第１の外側ねじ面を第１のシャフトに形成する。
【００６４】
次に、ステップ６０７で、第２のヘッドと第２のヘッドに結合された第２のシャフトとを有する第２の中間物本体を形成することで、第２のおもりを用意する。方法６００は、第２の中間物本体から第２の質量を除去して第２の内部穴を形成するステップ６０９に進み、第２の質量は第１の質量と異なる。この材料除去工程は、一部の実施形態では、フライス削り工程を含む。他の実施形態では、材料除去工程は、ドリルによる穴あけ工程などを含む。次いで、ステップ６１１で、第２の外側ねじ面を第２のシャフトに形成する。一部の実施形態では、さらなる工程が追加される。例えば、第１および第２のおもり部材のいずれも、鍛造、加工硬化、熱処理、コーティング、めっき、陽極酸化処理、媒体ブラスト、塗装、ピーニング、レーザピーニング、および／または化学エッチングの各工程にかけることができる。さらに、一部の実施形態では、上記の工程の相対的順番が変わる。例えば、一部の実施形態では、第２のおもり部材は、第１のおもり部材の前に形成される。
同様に、一部の実施形態では、第１のおもり部材を形成する工程と第２のおもり部材を形成する工程のいずれか、または両方に対して、穴を形成するステップの前に外側ねじを形成するステップが行われる。
【００６５】
本発明が、現時点でのその好ましい態様に関連して説明されたが、次に続く添付の特許請求の範囲に記載される場合を除いて、前述のものに限定されることを意図しない本発明の趣旨および範囲から逸脱することなく、多数の変更、修正、および等価物での代用が可能であると当業者には分かるであろう。
【符号の説明】
【００６６】
１００  ゴルフクラブヘッド
１０１  おもり部材
１０３  おもりポート
１０５  ヘッド
１０７  工具嵌合ポート（またはソケット）
１１１  シャフト
１１３  ねじ山
３０１、４０１、５０１  おもり部材
３０５、４０５、５０５  ヘッド
３１１、４１１、５１１  シャフト
３１３、４１３、５１３  ねじ山
３１５、４１５、５１５  穴
３１７  端面
３１９  シャフト端面
３２１  ヘッド面
【図１】
2013043091.tif 000004
【図１ａ】
2013043091.tif 000005
【図２】
2013043091.tif 000006
【図３】
2013043091.tif 000007
【図３ａ】
2013043091.tif 000008
【図４】
2013043091.tif 000009
【図５】
2013043091.tif 000010
【図６】
2013043091.tif 000011